(57)【特許請求の範囲】
【請求項１】
椅子等の家具本体に使用位置と収納位置との間で回転可能に取り付けられる支持体と、該支持体に移動可能に支持されるメモ台本体と、支持体の回転を抑制及び促進する方向に加勢する押付機構とを具備しているものであって、押付機構は前記支持体の使用位置から収納位置の間に設定した中間位置において思案点を有しており、支持体の使用位置から中間位置の間では支持体に収納位置への回転を抑制する方向に加勢して、中間位置から収納位置の間では支持体に収納位置への回転を促進する方向に加勢し得るように構成してなり、 メモ台本体と支持体との間に、メモ台本体を支持体に正逆方向に回転可能に支持させるヒンジ部を設け、ヒンジ部が螺旋状のガイド部を具備して使用位置からメモ台本体を正方向に跳ね上げる回転動作を可能にしてなり、支持体の回転とともにメモ台本体を収納位置に移動させることで、メモ台本体が重力によりガイド部に沿って支持体に対して回転して、メモ台本体が家具本体の前面に折り畳んだ収納位置に移動するようにしていることを特徴とするメモ台。
【請求項２】
押付機構が、前記支持体の回転を抑制又は推進するスプリングを具備しており、その基端部を支持体の回転中心から偏位した位置において家具本体に回転可能に取り付けるとともに、自由端部を支持体に取り付けて、前記支持体の回転中心、前記スプリングの基端部、並びに、その自由端部が一直線上に並ぶ位置を支持体の中間位置及び押付機構の思案点としていることを特徴とする請求項１記載のメモ台。
【発明の詳細な説明】
【０００１】
【発明の属する技術分野】
本発明は、例えば観覧席等で用具を載置したり筆記等の作業を行う際に好適に利用されるメモ台に関するものである。
【０００２】
【従来の技術】
従来、例えば多目的ホール等に配置されている観覧席には、用具を載置したり筆記等の作業を行えるようにメモ台を具備しているものがある。
【０００３】
このメモ台は、観覧席に利用されている椅子に取り付けてあり、メモ台の天板面を略水平にして配置する使用姿勢と、椅子の肘部近傍に収納する収納姿勢とをとるものとして知られている。
【０００４】
この収納位置にメモ台を収納する方法としては、収納の際にメモ台の自重による急激な回転落下を緩和するロータリーダンパを設けておき、椅子の肘部近傍で天板面を略垂直姿勢まで回転させて、前記肘部の下方に収納するようにしたもの等が挙げられる。
【０００５】
【発明が解決しようとする課題】
ところが、このような構成のものであると、収納の際、メモ台が前記収納姿勢をとる位置まで確実に下がり難いという不具合を持つ。観覧席は、複数の椅子を座の幅方向に設置して列を構成しており、前列と後列の列幅を狭く設計している場合が多い。このため、前記メモ台が収納姿勢をとる位置に下がりきっていないと、その一部が座部の前方側に飛び出るので、観覧者が移動する際、足をメモ台に掛けて躓いたり、メモ台を破損する等の恐れがあり邪魔である。
【０００６】
この様な不具合を解消するために、メモ台を確実に収納姿勢をとる位置に引き込む引っ張りバネ等を設けておくことも考えられている。しかしながら、この様にすると、メモ台が下がりきらないという不具合を解消できるものの、構成が複雑で嵩張る上、コストが高くなるという新たな問題を生じることになる。
【０００７】
本発明は、以上のような不具合に鑑みて、観覧席の椅子等で用具を載置したり筆記等の作業を行うメモ台を収納する際、簡単な構成で回転をスムーズにし得るとともに、的確に収納姿勢をとる位置に移行し得るメモ台を提供することを目的とする。
【０００８】
【課題を解決するための手段】
すなわち、本発明は、椅子等の家具本体に使用位置と収納位置との間で回転可能に取り付けられる支持体と、該支持体に移動可能に支持されるメモ台本体と、支持体の回転を抑制及び促進する方向に加勢する押付機構とを具備しているものであって、押付機構は前記支持体の使用位置から収納位置の間に設定した中間位置において思案点を有しており、支持体の使用位置から中間位置の間では支持体に収納位置への回転を抑制する方向に加勢して、中間位置から収納位置の間では支持体に収納位置への回転を促進する方向に加勢し得るように構成してなり、メモ台本体と支持体との間に、メモ台本体を支持体に正逆方向に回転可能に支持させるヒンジ部を設け、ヒンジ部が螺旋状のガイド部を具備して使用位置からメモ台本体を正方向に跳ね上げる回転動作を可能にしてなり、支持体の回転とともにメモ台本体を収納位置に移動させることで、メモ台本体が重力によりガイド部に沿って支持体に対して回転して、メモ台本体が家具本体の前面に折り畳んだ収納位置に移動するようにしていることを特徴とする。
【０００９】
このような構成のものであると、支持体が使用位置から中間位置の間を移動する際、押付機構はメモ台の自重による支持体の回転を抑制する方向に加勢して、中間位置からは、支持体を収納位置に引き込む方向に加勢するので、支持体の急激な回転を防止してスムーズ且つ確実に使用位置から収納位置に移動させることができる。
【００１０】
また、簡単な構成でメモ台本体が使用姿勢と収納姿勢とを取り得るもので、メモ台本体を収納姿勢にしてメモ台本体を確実に収納するので、メモ台の一部が観覧席の通路に突出することを防止して、観覧者が移動する際、足をメモ台に掛けて躓いたり、メモ台を破損する等の恐れを払拭し得るものである。
【００１１】
そして、部品数を削減して簡単な構成で思案点を設けるには、押付機構が、前記支持体の回転を抑制又は推進するスプリングを具備しており、その基端部を支持体の回転中心から偏位した位置において家具本体に回転可能に取り付けるとともに、自由端部を支持体に取り付けて、前記支持体の回転中心、前記スプリングの基端部、並びに、その自由端部が一直線上に並ぶ位置を支持体の中間位置及び押付機構の思案点としているものが望ましい。
【００１４】
【発明の実施の形態】
以下、本発明の一実施の形態を、図面を参照して説明する。
【００１５】
このメモ台１は、図１に示すように、多目的ホール等の空間において複数を前後左右に列状に配置した家具本体である観覧席の椅子Ａに、着座者が筆記作業等を行う際に利用するために取り付けてある。
【００１６】
椅子Ａは、図５及び図６に示すように、床面Ｆに支持されている左右の肘支持体Ａ１と、これらの肘支持体Ａ１の上端部近傍に取り付けてある肘部Ａ２と、着座者が背を凭れ得る状態に配置された背もたれＡ３と、該支持体３にライジング可能に取り付けてある座部Ａ４とを具備するライジング式の周知のものである。
【００１７】
一方、本実施の形態のメモ台１は、図６に示すように、当該メモ台１を構成する天板２１を、略水平に保持する使用姿勢Ｐと、該天板２１を椅子Ａが配置されている床面Ｆに対して略垂直な状態で椅子Ａに設けた座部Ａ４の下方に収納する収納姿勢Ｑとに移行し得る状態で椅子Ａに取り付けてある。
【００１８】
そして、前記メモ台１は、図１から図５に示すように、椅子Ａに使用位置Ｐ３と収納位置Ｑ３の間で回転可能に取り付けられる支持体３と、図１から図６に示すように、該支持体３に移動可能に支持されるメモ台本体２と、図２から図５に示すように、支持体３の回転を抑制及び促進する方向に加勢する押付機構５とを具備している。
【００１９】
このような構成のものにおいて、押付機構５は、図４に示すように、前記支持体３の使用位置Ｐ３から収納位置Ｑ３の間に設定した中間位置Ｓ３において思案点を有しており、支持体３の使用位置Ｐ３から中間位置Ｓ３の間では、支持体３が収納位置Ｑ３へ回転するのを抑制して、中間位置Ｓ３から収納位置Ｑ３の間では、支持体３が収納位置Ｑ３へ回転するのを促進し得るように構成している。
【００２０】
以下、各部の詳細について記述する。
【００２１】
メモ台本体２は、図２から図４に示すように、筆記作業等を行い得る天板２１と、肘部Ａ２の上面に配置する延長部２２とを具備している。天板２１は、平面視略矩形状の板状部材で形成してある。また、延長部２２は、天板２１の使用端２１ｂのうち、肘部Ａ２の取付側にある端部近傍を、メモ台本体２の取付側である縁部２１ａに沿って延長させて形成してある。
【００２２】
支持体３は、図２から図４に示すように、支持体３の基端部３１１と先端部３１４を形成する側面視略平行四辺形状の支持アーム３１を主体として構成され、前記基端部３１１をネジ等で前記肘部Ａ２の外側面Ａ４１に略沿って使用位置Ｐ３と収納位置Ｑ３との間で水平軸回りに回転可能に椅子Ａに取り付けてある。具体的には、前記肘部Ａ２の外側面Ａ４１には、メモ台本体２の取付位置を引き出すための平板状のブラケット６が固定され、このブラケット６の外方にネジ等で回転中心たる第一軸部３２が形成してあり、支持アーム３１は、使用位置Ｐ３において、その基端部３１１を前記第一軸部３２に回転可能に取り付けるとともに、先端部３１４を該基端部３１１より前上方に位置づけ、その上縁部３１ａを床面Ｆと略水平な状態に保持し得るように設定している。前記上縁部３１ａは、メモ台本体２の取り付け幅を確保するために、先端部３１４近傍からさらに前方に延長してある。支持アーム３１は、板金部材で形成してある側壁３１２と、該側壁３１２の周縁からその厚み方向に突き出した周壁３１３とを具備する偏平箱状に形成してある。
【００２３】
ヒンジ部４は、図２から図４に示すように、前記肘部Ａ２に取り付ける側である天板２１の縁部２１ａ近傍に設けたメモ台側円筒部４１と、そのメモ台側円筒部４１の両側を挟むように前記支持体３の上縁部３１ａに設けた支持体側円筒部４２と、支持体３に対してメモ台本体２を回転可能にする棒状のヒンジ軸４３と、前記メモ台側円筒部４１及び支持体側円筒部４２に設けたガイド部４４とを具備している。そして、前記ヒンジ部４は、メモ台側円筒部４１と、支持体側円筒部４２とに設けた長さ方向に貫通する貫通孔にヒンジ軸４３を挿入して構成してある。このヒンジ部４は、メモ台本体２を支持体３に正逆回転可能に支持させて、メモ台本体２の天板２１を肘部Ａ２の上面に略水平な状態で載せ置いた使用姿勢Ｐ３から、該天板２１を正方向に略９０°に跳ね上げる回転動作を行わせることができるものである。ガイド部４４は、このメモ台側円筒部４１の両側の周縁部４１ａと、前記周縁部４１ａと対応する支持体側円筒部４２の周縁部４２ｂに設けてあり、これらは螺旋状に形成してある。そして、前記メモ台本体２を重力によりガイド部４４に沿って支持体３に対して回転させることでメモ台本体２の収納位置Ｑに移動させるように構成してある。
【００２４】
押付機構５は、図２から図４に示すように、前記支持体３の回転を抑制又は促進するスプリングたるガススプリング５１を具備している。そして、前記支持体３の回転と連動するように、その基端部５１１が、ブラケット６の支持体３の第一軸部３２より前下方へ偏位した位置に設けた第二軸部５２に正逆方向に回転し得るように取り付けてあり、自由端部５１２が、支持体３の先端部３１４近傍にネジ等により形成した第三軸部５３に正逆方向に回転し得るように取り付けてある。
【００２５】
なお、メモ台１には、図示していないが、前記支持体３の先端部３１４が使用位置Ｐ３よりさらに上方へ、また、収納位置Ｑ３よりさらに後方に回転することを禁止するためのストッパーが適宜の手段で設けてある。
【００２６】
このような構成のものにおいて、押付機構５は、図４に示すように、支持体３の回転と連動させてガススプリング５１の全長を変化させたとき、支持体３の使用位置Ｐ３と収納位置Ｑ３との間において、ガススプリング５１がその全長を最短とする思案点を有するように設定してある。すなわち、第一、第二、第三軸部３２、５２、５３が一直線上に並ぶ位置を支持体３の中間位置Ｓ３と呼ぶ事とすると、この中間位置Ｓ３においてガススプリング５１を主体とする押付機構５の思案点が存在するように設定している。そして、押付機構５は、支持体３の使用位置Ｐ３から中間位置Ｓ３の間では支持体３に収納位置Ｑ３への回転を抑制する方向に加勢して、中間位置Ｓ３から収納位置Ｑ３の間では支持体３に収納位置Ｑ３への回転を促進する方向に加勢し得るように構成している。なお、メモ台本体２を構成する天板２１の縁部２１ａは、支持体３の中間位置Ｓ３において略斜め下方に傾斜している状態である。
【００２７】
次に、押付機構５の具体的な動作を説明する。
【００２８】
押付機構５は、その使用位置Ｐ３において、前記ガススプリング５１の全長が思案点での全長より伸長している状態でメモ台本体２に取り付けてある。そして、支持体３が使用位置Ｐ３から中間位置Ｓ３の間を移動すると、押付機構５は、支持体３の回転と連動してガススプリング５１の全長を縮めてゆく。これにより、押付機構５は、支持体３の先端部３１４を上方に向ける方向、すなわち支持体３が急激に収納位置Ｑ３に向かう回転を抑制する方向に加勢する。そして、支持体３が、ガススプリング５１の全長を最短とする中間位置Ｐ３を通過すると、押付機構５は、支持体３の回転と連動してガススプリング５１の全長を伸長させてゆく。これにより、押付機構５は、支持体３の先端部３１４を下方に向ける方向、すなわち支持体３が収納位置Ｑ３に向かう回転を促進する方向に加勢する。
【００２９】
このような構成のメモ台１において、図５及び図６を用いて、メモ台１が使用姿勢Ｐから収納姿勢Ｑに移動する際の動作について説明する。なお、図５及び図６では、メモ台１の使用姿勢Ｐ及び支持体３の使用位置Ｐ３を実線で示している。
【００３０】
メモ台１は、使用姿勢Ｐにある前記天板２１の裏面側を肘部Ａ２の上面に当接させてその姿勢を保持している。そして、このメモ台１を使用姿勢Ｐから収納姿勢Ｑに移行させる際、まず、前記天板２１を床面Ｆに対して略垂直な状態になるまで跳ね上げるように回転させて使用姿勢Ｐの状態を解除する。具体的には、メモ台本体２は、図５及び図６に示すように、肘部Ａ２を取り付ける側である天板２１の縁部２１ａと対向する縁部２１ｃを上方に移動させる方向にヒンジ軸４３を中心に回転させる。これにより、該天板２１は、床面Ｆに対して略垂直な状態となる位置に移動するので、支持体３は、その使用位置Ｐ３から収納位置Ｑ３に移動し得る状態となる。
【００３１】
そして、前記支持体３は、図５に示すように、メモ台１の自重によりその先端部３１４を床面Ｆに近づける方向に第一軸部３２を軸心として回転する。この際、押付機構５は、前記支持体３の回転と連動しており、支持体３の使用位置Ｐ３から中間位置Ｓ３の間で、支持体３に収納位置Ｑ３への回転を抑制する方向に加勢して支持体３の急激な回転を防止する。そして、前記支持体３が中間位置Ｓ３を通過すると、押付機構５が、支持体３に対してその回転を促進する方向に加勢するので、支持体３は、収納位置Ｑ３まで確実に移動する。
【００３２】
一方、メモ台本体２は、図６に示すように、前記支持体３が収納位置Ｑ３に移動すると、図５に示すように、重力により天板２１を座部Ａ４の下方に収納するように移動する。具体的には、メモ台本体２は、前記ヒンジ部４にその荷重が加わることで、前記ヒンジ軸４３回りに螺旋状の周縁部４１ａ、４１ｂに沿って回転して、前記天板２１を座部Ａ４に近づく方向に前記座部Ａ４の下方に収納される。
【００３３】
このような構成であると、支持体３がその使用位置Ｐ３から中間位置Ｓ３の間を移動する際、押付機構５は、メモ台１の自重による支持体３の回転を抑制する方向に加勢して、中間位置Ｓ３からは、支持体３を収納位置Ｑ３に引き込む方向に加勢するので、支持体３の急激な回転を防止してスムーズに使用位置Ｐ３から収納位置Ｑ３に移動させる上、確実に支持体３を収納位置Ｑ３に移動させることができる。
【００３４】
そして、押付機構５が、前記支持体３の回転を抑制又は促進するガススプリング５１を具備しており、その基端部５１１を支持体３の第一軸部３２から偏位した位置において椅子Ａに回転可能に取り付けるとともに、自由端部５１２を支持体３に取り付けて、前記支持体３の第一軸部３２、前記ガススプリング５１の基端部５１１、並びに、その自由端部５１２が一直線上に並ぶ位置を支持体３の中間位置Ｓ３及び押付機構５の思案点としているので、部品数を削減して簡単な構成で加勢方向の切り替えを行うことができる。
【００３５】
また、支持体３が使用位置Ｐ３にあるときにメモ台本体２の天板２１が略水平な使用姿勢Ｐをとり、支持体３が収納位置Ｑ３にあるときに該天板２１が床面Ｆに対して略垂直な収納姿勢Ｑをとり得るようにしているので、メモ台１の一部が観覧席の通路に突出することを防止して、観覧者が移動する際、足をメモ台１に掛けて躓いたり、メモ台１を破損する等の恐れを払拭することができる。
【００３６】
そして、メモ台本体２と支持体３の間に、メモ台本体２を支持体３に正逆方向に回転可能に支持するヒンジ部４を設け、使用姿勢Ｐから天板２１を正方向に跳ね上げるように回転させて支持体３の回転とともメモ台本体２を移動させ、収納姿勢Ｐで天板２１を逆方向に回転させて椅子Ａの前面に折り畳んだ姿勢で収納し得るので、簡単な構成でメモ台本体２に使用姿勢Ｐと収納姿勢Ｑとを取らせることができる。
【００３７】
さらに、ヒンジ部４が、メモ台本体２を支持体３に対して回転可能な螺旋状のガイド部４４を具備しており、前記メモ台本体２を重力によりガイド部４４に沿って支持体３に対して回転させてメモ台本体２の収納姿勢Ｐに移行させるように構成してあるので、別段の駆動機構を設けることなくメモ台本体２を収納姿勢Ｐにして天板２１を確実に収納することができる。
【００３８】
なお、本発明における構成は、以上説明したものに限定されないのは勿論である。例えば、本実施の形態では、押付機構５にガススプリング５１を利用したが、これに限定されず、支持体３の回転を抑制及び促進する方向に加勢し得るものならばよい。また、メモ台１の収納姿勢Ｐにおいてメモ台本体２を座部Ａ４の下方に収納したが、観覧者の移動の妨げにならない位置であればよく、これに限定されないのは勿論である。
【００３９】
その他、各部の具体的構成についても上記実施の形態に限られるものではなく、本発明の趣旨を逸脱しない範囲で種々変形が可能である。
【００４０】
【発明の効果】
本発明は、以上説明したような形態で実施され、以下に記載されるような効果を奏する。
【００４１】
すなわち、本発明は、椅子等の家具本体に回転可能に取り付けられる支持体と、該支持体に支持されるメモ台本体と、支持体に加勢する押付機構とを具備しているものであって、押付機構は、前記支持体の移動範囲内で設定した中間位置において思案点を有しており、その思案点を境にして支持体の回転を抑制或いは促進するように加勢し得るように構成していることを特徴としているメモ台であるので、支持体が使用位置から中間位置の間を移動する際、押付機構はメモ台の自重による支持体の回転を抑制する方向に加勢し、中間位置からは、支持体を収納位置に引き込む方向に加勢するので支持体の急激な回転を防止してスムーズに使用位置から収納位置に移動させることができる上、確実に収納位置に移動させることができる。
【図面の簡単な説明】
【図１】本発明の一実施の形態を一使用状態において示す全体斜視図。
【図２】同拡大斜視図。
【図３】同正面図。
【図４】同側面図。
【図５】同作用説明図。
【図６】同作用説明図。
【符号の説明】
１・・・メモ台
２・・・メモ台本体
２１・・・天板
３・・・支持体
３２・・・第一軸部（回転中心）
４・・・ヒンジ部
４４・・・ガイド部
５・・・押付機構
５１・・・ガススプリング（スプリング）
５１１・・・基端部
５１２・・・自由端部
Ａ・・・椅子（家具本体）
Ｆ・・・床面
Ｐ・・・使用姿勢
Ｑ・・・収納姿勢
Ｐ３・・・使用位置
Ｑ３・・・収納位置
Ｓ３・・・中間位置
【図１】
0004632599.tif 000002
【図２】
0004632599.tif 000003
【図３】
0004632599.tif 000004
【図４】
0004632599.tif 000005
【図５】
0004632599.tif 000006
【図６】
0004632599.tif 000007